(57)【要約】【課題】水が筐体の内部へ流入することを安定して抑止すること。【解決手段】第１の結合部３１は上部筐体１０に環状に設けられている。第２の結合部３２は、第１の結合部３１と向かい合うように下部筐体２０に環状に設けられている。第２の結合部３２は第１の結合部３１と結合する。パッキン５０は、弾性を有し、中心部に空洞を有するように管状に形成され、第１の結合部３１と第２の結合部３２の間に環状に設けられている。吸水部材６０はパッキン５０の空洞部内に設けられている。隙間部３３は、第１の結合部３１と第２の結合部３２の間に設けられ、第１の部材３１および第２の部材３２の外部から流入する水をパッキン５０へ導き入れる。切り込み部５１はパッキン５０の延在方向に沿ってパッキン５０に形成され、上部筐体１０および下部筐体２０の外部から隙間部３３を介して流入する水を吸水部材６０に導き入れる。【選択図】      図１
2014007360.tif 000002
【特許請求の範囲】
【請求項１】
第１の部材と、
前記第１の部材に結合する第２の部材と、
前記第１の部材に環状に設けられた第１の結合部と、
前記第１の結合部と向かい合うように前記第２の部材に環状に設けられ、前記第１の結合部と結合する第２の結合部と、
弾性を有し、中心部に空洞を有するように管状に形成され、前記第１の結合部と前記第２の結合部の間に前記第１の結合部と第２の結合部に沿って環状に設けられたパッキンと、
吸水性を有し、前記パッキンの前記空洞内に設けられた吸水部材と、
前記第１の結合部と前記第２の結合部の間に設けられ、前記第１の部材および前記第２の部材の外部から流入する水を前記パッキンへ導き入れる隙間部と、
前記パッキンの延在方向に沿って前記パッキンに形成され、前記第１の部材および前記第２の部材の外部から前記隙間部を介して流入する水を前記吸水部材に導き入れる切り込み部とを備えた筐体の防水構造。
【請求項２】
前記第１の結合部または前記第２の結合部に前記第１の結合部または前記第２の結合部に沿って溝状に設けられ、前記パッキンおよび前記吸水部材を収容する収容溝を備えた請求項１に記載の筐体の防水構造。
【請求項３】
前記パッキンを前記収容溝に保持するために前記パッキンに形成された第１の係合部と、
前記収容溝に形成され、前記第１の係合部と係合する第２の係合部とを備えた請求項２に記載の筐体の防水構造。
【請求項４】
前記第１の係合部は、前記パッキンの延在方向に沿って前記パッキンの外周面上に突出するように形成された突起部であり、
前記第２の係合部は、前記収容溝の延在方向に沿って前記収容溝内に溝状に形成された凹部である請求項３に記載の筐体の防水構造。
【請求項５】
前記切り込み部は、前記第１の部材および前記第２の部材の外側に開口するように設けられた請求項１〜４のいずれか１項に記載の筐体の防水構造。
【請求項６】
前記第１の筐体および前記第２の筐体は、基礎板と、前記基礎板の外周を囲うように前記基礎面から離れる方向に延出された側板とにより構成された箱状に形成され、
前記第１の結合部は、前記第１の筐体の側板の先端部に沿って形成され、
前記第２の結合部は、前記第２の筐体の側板の先端部に沿って形成された請求項１〜５のいずれか１項に記載の筐体の防水構造。
【請求項７】
前記第１の結合部と前記第２の結合部の一部が互いに当接する請求項１〜６のいずか１項に記載の筐体の防水構造。
【請求項８】
前記吸水部材は、高分子吸収材により形成された請求項１〜７のいずれか１項に記載の筐体の防水構造。
【発明の詳細な説明】
【技術分野】
【０００１】
本発明は、筐体の防水構造に関し、例えば携帯電話機、携帯情報端末および衛星通信機などの電子機器に利用される筐体の防水構造に関する。
【背景技術】
【０００２】
近年、例えば携帯電話機、携帯情報端末および衛星通信機などの電子機器では、降水環境の下で使用される場合が多い。このため、多くの電子機器の筐体には防水構造が施されている。
【０００３】
ここで、本発明に関連する筐体の防水構造９０００について説明する。図８は、本発明に関連する筐体の防水構造９０００を模式的に示す拡大断図である。図９は、筐体の防水構造９０００を模式的に示す斜視図である。
【０００４】
図８および図９に示されるように、筐体の防水構造９０００は、上部筐体１０と下部筐体２０を結合して構成される。ここで、上部筐体１０と下部筐体２０は、ともに箱状に形成されており、基礎面１１、２１と側面１２、２２とを備えている。
【０００５】
また、図８および図９に示されるように、上部筐体１０と下部筐体２０の間には、パッキン９０が設けられている。
【０００６】
上部筐体１０と下部筐体２０との間の結合部では、図８および図９に示されるように、上部筐体１０の側面１２の先端部を第１の結合部３１とし、下部筐体２０の側面２２の先端部を第２の結合部３２とする。収容溝４０が第２の結合部３２に溝状に形成されている。また、パッキン９０は、収容溝４０内に収容され、第１の結合部３１と第２の結合部３２の間で圧縮されながら保持される。
【０００７】
このように、筐体の防水構造９０００では、上部筐体１０と下部筐体２０とが、収容部４０に収容されたパッキン９０を介して、面接触により結合されていた。このように、パッキン９０を介して、上部筐体１０と下部筐体２０とを結合することにより、防水機能を発揮し、上部筐体１０と下部筐体２０の外部から内部へ水が流入することを抑止していた。
【０００８】
なお、特許文献１、特許文献２および特許文献３には、本発明に関連する技術として、２つの筐体の間でパッキンを挟持した防水構造が開示されている。
【先行技術文献】
【特許文献】
【０００９】
【特許文献１】特開２００３−７０６６４号公報
【特許文献２】特開２０１０−２５２２２４号公報
【特許文献３】実開平３−１１２９８１号公報
【発明の概要】
【発明が解決しようとする課題】
【００１０】
しかしながら、図８および図９に示された筐体の防水構造９０００では、前述の通り、パッキン９０を介して、上部筐体１０と下部筐体２０とを結合する構造を採用していた。このため、防水機能を発揮させるためには、構造上、上部筐体１０および下部筐体２０にパッキン９０を近接させることにより、均等な加重でパッキン９０を圧縮する必要があった。また、上部筐体１０および下部筐体２０の挟持によってパッキン９０を均等な加重で圧縮するには、パッキン９０、第１の結合部３１、第２の結合部３２および収容溝４０を高い精度で製造する必要があった。
【００１１】
図８および図９に示された筐体の防水構造９０００では、上部筐体１０および下部筐体２０の挟持によるパッキン９０への加重が小さい場合や、パッキン９０、第１の結合部３１、第２の結合部３２および収容部４０の製造精度が低い場合には、防水機能が発揮されず、上部筐体１０と下部筐体２０の外部から内部へ水が流入することを抑止できないことがあるという問題があった。
【００１２】
本発明は、このような事情に鑑みてなされたものであり、本発明の目的は、水が筐体の内部へ流入することを安定して抑止できる筐体の防水構造を提供することにある。
【課題を解決するための手段】
【００１３】
本発明の筐体の防水構造は、第１の部材と、前記第１の部材に結合する第２の部材と、前記第１の部材に環状に設けられた第１の結合部と、前記第１の結合部と向かい合うように前記第２の部材に環状に設けられ、前記第１の結合部と結合する第２の結合部と、弾性を有し、中心部に空洞を有するように管状に形成され、前記第１の結合部と前記第２の結合部の間に前記第１の結合部と第２の結合部に沿って環状に設けられたパッキンと、吸水性を有し、前記パッキンの前記空洞内に設けられた吸水部材と、前記第１の結合部と前記第２の結合部の間に設けられ、前記第１の部材および前記第２の部材の外部から流入する水を前記パッキンへ導き入れる隙間部と、前記パッキンの延在方向に沿って前記パッキンに形成され、前記第１の部材および前記第２の部材の外部から前記隙間部を介して流入する水を前記吸水部材に導き入れる切り込み部とを備えている。
【発明の効果】
【００１４】
本発明にかかる筐体の防水構造によれば、水が筐体の内部へ流入することを安定して抑止できる。
【図面の簡単な説明】
【００１５】
【図１】本発明の第１の実施の形態における筐体の防水構造を模式的に示す拡大断面図であって、吸水部材が水を吸収していない状態を示す図である。
【図２】本発明の第１の実施の形態における筐体の防水構造を模式的に示す拡大断面図であって、吸水部材が水を吸収した状態を示す図である。
【図３】本発明の第１の実施の形態における筐体の防水構造を模式的に示す斜視図である。
【図４】本発明の第２の実施の形態における筐体の防水構造を模式的に示す拡大断面図であって、吸水部材が水を吸収していない状態を示す図である。
【図５】本発明の第２の実施の形態における筐体の防水構造を模式的に示す拡大断面図であって、吸水部材が水を吸収した状態を示す図である。
【図６】本発明の第３の実施の形態における筐体の防水構造を模式的に示す拡大断面図であって、吸水部材が水を吸収していない状態を示す図である。
【図７】本発明の第３の実施の形態における筐体の防水構造を模式的に示す拡大断面図であって、吸水部材が水を吸収した状態を示す図である。
【図８】本発明に関連する筐体の防水構造を模式的に示す拡大断面図である。
【図９】本発明に関連する筐体の防水構造を模式的に示す斜視図である。
【発明を実施するための形態】
【００１６】
＜第１の実施の形態＞
本発明の第１の実施の形態における筐体の防水構造１０００について、図に基づいて説明する。図１および図２は、筐体の防水構造１０００を模式的に示す拡大断面図である。このうち、図１は、後述の吸水部材が水を吸収していない状態を示す図である。図２は、吸水部材が水を吸収した状態を示す図である。図３は、筐体の防水構造１０００を模式的に示す斜視図である。
【００１７】
図１、図２および図３に示されるように、筐体の防水構造１０００は、上部筐体１０と下部筐体２０と、第１の結合部３１と、第２の結合部３２と、隙間部３３と、収容溝４０と、パッキン５０と、切り込み部５１と、吸水部材６０とを備えている。
【００１８】
上部筐体１０と下部筐体２０は、ともに箱状に形成されている。すなわち、図１に示されるように、上部筐体１０は、基礎面１１と、この基礎面１１の外周を囲うように基礎面１１から離れる方向に延出された側面１２とを備えている。同様に、下部筐体２０は、基礎面２１と、この基礎面２１の外周を囲うように基礎面２１から離れる方向に延出された側面２２とを備えている。また、図１および図２に示されるように、上部筐体１０と下部筐体２０の間には、パッキン５０および吸水部材６０が設けられている。上部筐体１０と下部筐体２０は、パッキン５０および吸水部材６０を介して、結合する。上部筐体１０および下部筐体２０の内部には、電子部品が実装された電子基板（不図示）などが、収容される。上部筐体１０は、本発明の第１の部材である。下部筐体２０は、本発明の第２の部材である。
【００１９】
ここで、上部筐体１０と下部筐体２０とが互いに結合する部分の周辺について、より具体的に説明する。
【００２０】
図１、図２および図３に示されるように、上部筐体１０の側面１２の先端部を第１の結合部３１とし、下部筐体２０の側面２２の先端部を第２の結合部３２とする。
【００２１】
第１の結合部３１は、上部筐体１０の側面１２の先端部に環状に設けられている。第２の結合部３２は、第１の結合部３１に向かい合うように下部筐体２０に環状に設けられている。そして、第１の結合部３１および第２の結合部３２は、パッキン５０および吸水部材６０を介して、互いに結合する。
【００２２】
また、第１の結合部３１と第２の結合部３２の間には、隙間部３３が設けられている。この隙間部３３は、上部筐体１０および下部筐体２０の外部から流入する水をパッキン５０へ導き入れるために設けられている。なお、隙間部３３は、上部筐体１０と下部筐体２０の外側面側に形成されている。
【００２３】
上部筐体１０と下部筐体２０は、ネジ（不図示）による締結またはツメ（不図示）の嵌合などにより、互いに結合された状態に保持される。このときネジ穴が形成されたネジボス（不図示）の高さやツメの高さなどを調整することにより、前述の隙間部３３の高さを設定する。
【００２４】
図１および図２に示されるように、収容溝４０は、第２の結合部３２に沿って溝状に形成されている。収容溝４０には、パッキン５０および吸水部材６０が収容される。なお、収容部４０は、第１の結合部３１に設けられても良い。
【００２５】
パッキン５０は、弾性を有する部材により形成される。パッキン５０の材料には、例えば天然ゴムや合成ゴムなどが用いられる。また、図１および図２に示されるように、パッキン５０は、中心部に空洞を有するように管状に形成されている。さらに、パッキン５０は、収容溝４０に沿って環状に設けられ、当該収容溝４０内に収容される。すなわち、パッキン５０は、第１の結合部３１と第２の結合部３２の間に、第１の結合部３１と第２の結合部３２に沿って環状に設けられる。
【００２６】
また、図１および図２に示されるように、パッキン５０には、切り込み部５１が設けられている。この切込み部５１は、パッキン５０の延在方向に沿って当該パッキン５０に形成されている。また、切り込み部５１は、上部筐体１０および下部筐体２０の外部から流入する水を、パッキン５０の空洞内に設けられた吸水部材６０に導き入れる。このため、好ましくは、切り込み部５１は、上部筐体１０および下部筐体２０の外側に向かって開口するように設けられる。
【００２７】
吸水部材６０は、吸水性を有する。吸水部材６０は、水分を吸水することにより、体積が膨張する特性を有する。吸水部材６０は、例えばポリアクリル酸塩ナトリウムなどの高分子を原料とする高分子吸収材（高吸収性ポリマー樹脂など）により形成されている。吸水部材６０は、パッキン５０の空洞内に設けられている。
【００２８】
次に、本発明の第１の実施の形態における筐体の防水構造１０００の使用方法について、図１および図２を用いて説明する。
【００２９】
まず、筐体の防水構造１０００が冠水していない状態について図１に基づいて説明する。この場合、上部筐体１０および下部筐体２０の外部の水が、隙間部３３を介して、パッキン５０および吸水部材６０が設けられた収容溝４０に浸入することはない。このため、図１に示されるように、吸水部材６０は、水を吸収することがないので、膨張しない。また、パッキン５０の弾性力により、パッキン５０の外周面の一部が、第１の結合部３１と、第２の結合部３２に設けられた収容溝４０の底面とを、押圧する。このため、塵や埃や微少な水滴などが、隙間部３３を介して、上部筐体１０および下部筐体２０の内部に侵入することの防止できる。
【００３０】
次に、筐体の防水構１０００が冠水した場合について図２に基づいて説明する。この場合、上部筐体１０および下部筐体２０の外部の水が、隙間部３３を介して、パッキン５０および吸水部材６０が設けられた収容溝４０に浸入する。収容溝４０に浸入した水は、パッキン５０の切り込み部５１を介して、吸収部材６０にまで到達する。吸水部材６０は、水を吸水し、体積を膨張させる。吸水部材６０の膨張により、パッキン５０が押し広げられる。これにより、パッキン５０の外周面の一部が、第１の結合部３１と、第２の結合部３２に設けられた収容溝４０の底面とを、筐体の防水構造１０００が冠水していない状態と比較してより強い圧力で押圧する。このように、パッキン５０の外周面と第１の結合部３１との接圧と、パッキン５０の外周面と第２の結合部３１中の収容溝４０の底面の接圧とが高まる。そして、パッキン５０は、前述の通り弾性を有するので、弾性接圧状態となる。この結果、上部筐体１０と下部筐体２０とが防水状態となる。すなわち、上部筐体１０の第１の結合部３１と下部筐体２０の第２の結合部３２とが、吸収部材６０の膨張により押し広げられたパッキン５０を介して、密着する。これにより、上部筐体１０と下部筐体２０の内部に設けられた電子基板などが密閉状態となる。この結果、上部筐体１０と下部筐体２０の外部の水が、上部筐体１０と下部筐体２０の内部へ浸入することを安定して抑止できる。
【００３１】
以上の通り、本発明の第１の実施の形態における筐体の防水構造１０００は、上部筐体１０（第１の部材）と、下部筐体２０（第２の部材）を、第１の結合部３１と、第２の結合部３２と、パッキン５０と、吸水部材６０と、隙間部３３と、切り込み部５１とを含んで構成される。上部筐体１０と下部筐体２０は、互いに結合する。第１の結合部３１は、上部筐体１０に環状に設けられている。第２の結合部３２は、第１の結合部３１と向かい合うように下部筐体２０に環状に設けられている。また、第２の結合部３２は、第１の結合部３１と結合する。パッキン５０は、弾性を有し、中心部に空洞を有するように管状に形成されている。また、パッキン５０は、第１の結合部３１と第２の結合部３２の間に、第１の結合部３１と第２の結合部３２に沿って環状に設けられている。吸水部材６０は、パッキン５０の空洞部内に設けられている。隙間部３３は、第１の結合部３１と第２の結合部３２の間に設けられ、第１の部材３１および第２の部材３２の外部から流入する水をパッキン５０へ導き入れる。切り込み部５１は、パッキン５０の延在方向に沿ってパッキン５０に形成されている。また、切り込み部５１は、上部筐体１０および下部筐体２０の外部から隙間部３３を介して流入する水を吸水部材６０に導き入れる。
【００３２】
このように、筐体の防水構造１０００では、隙間部３３が、第１の結合部３１と第２の結合部３２の間に設けられている。また、吸水部材６０が、第１の結合部３１と第２の結合部３２の間に設けられたパッキン５０の空洞内に、設けられている。さらに、パッキン５０には切り込み部５１が形成されている。このため、上部筐体１０と下部筐体２０の外部の水が隙間部３３を介してパッキン５０へ浸入した際に、水が切り込み部５１を介して吸水部材６０にまで到達する。このとき、吸水部材６０は、水を吸水し、体積を膨張させる。この吸水部材６０の膨張により、パッキン５０が押し広げられる。これにより、パッキン５０の外周面の一部が、第１の結合部３１と、第２の結合部３２とを、強い圧力で押圧する。このように、パッキン５０の外周面と第１の結合部３１との接圧と、パッキン５０の外周面と第２の結合部３２の接圧とが高まる。そして、パッキン５０は、弾性を有するので、弾性接圧状態となる。この結果、上部筐体１０と下部筐体２０とが防水状態となる。すなわち、上部筐体１０の第１の結合部３１と下部筐体２０の第２の結合部３２とが、吸収部材６０の膨張により押し広げられたパッキン５０を介して、密着する。これにより、上部筐体１０と下部筐体２０の内部に設けられた電子基板などが密閉状態となる。この結果、上部筐体１０と下部筐体２０の外部の水が、上部筐体１０と下部筐体２０の内部へ浸入することを安定して抑止できる。
【００３３】
これに対して、図８および図９に示した筐体の防水構造９０００では、上部筐体１０と下部筐体２０の間にはパッキン９０のみが設けられており、本発明の吸収部材６０は設けられていない。このため、パッキン９０に水が浸入しても、パッキン９０自体は何ら変形することなく、本発明のように押し広げられたりすることはない。このため、上部筐体１０および下部筐体２０の挟持によるパッキン９０への加重が小さい場合や、パッキン９０、第１の結合部３１、第２の結合部３２および収容部４０の製造精度が低い場合には、防水機能が発揮されず、上部筐体１０と下部筐体２０の外部から内部へ水が流入することを十分に抑止できないことがあった。
【００３４】
一方、本発明では、前述の通り、パッキン５０の空洞内に吸収部材６０を設け、この吸収部材６０の吸水による膨張を利用して、パッキン５０を押し広げている。このため、図８および図９に示した筐体の防水構造９０００と異なり、上部筐体１０と下部筐体２０の間の隙間部３３に水が浸入すれば、パッキン５０の外周面の一部が、第１の結合部３１と、第２の結合部３２とを、より強い圧力で押圧する。このように、パッキン５０の外周面と第１の結合部３１との接圧と、パッキン５０の外周面と第２の結合部３１の接圧とを十分に高めることができる。
【００３５】
パッキンを用いた筐体の防水構造では、その防水の程度は、一般的に、設計完成度もさることながら、モールドの金型の工作精度にも依存する。そして、これら設計完成度や金型の工作精度は、設計過程において、日程的および費用的に大きなインパクトを与える。本発明の筐体の防水構造１０００によれば、吸収部材６０が水分を吸収することによりパッキン５０内で膨張するので、パッキン５０、第１の結合部３１、第２の結合部３２および収容部４０の製造精度が低い場合にも対応できる。そして、このようにパッキン５０等の製造精度が低くても、パッキン５０の外周面を第１の結合部３１および第２の結合部３２に十分な接圧で押圧することができる。このため、パッキン５０、第１の結合部３１、第２の結合部３２および収容部４０等の金型の工作精度を下げることも可能となる。したがって、新興国などで工作精度が十分とはいえない工作機械を用いたとしても、本発明の筐体の防水構造１０００を製造することができる。
【００３６】
また、本発明の第１の実施の形態における筐体の防水構造１０００は、収容溝４０を備えている。この収容溝４０は、第１の結合部３１または第２の結合部３２に、第１の結合部３１または第２の結合部３２に沿って溝状に設けられている。また、収容溝４０は、パッキン５０および吸水部材６０を収容する。これにより、パッキン４０を第１の結合部３１または第２の結合部３２にしっかり保持することができる。
【００３７】
本発明の第１の実施の形態における筐体の防水構造１０００において、好ましくは、切り込み部５１は、上部筐体１０および下部筐体２０の外側に開口するように設けられている。これにより、上部筐体１０および下部筐体２０の外部から浸入する水を効率よく吸水部材６０へ導くことができる。
【００３８】
本発明の第１の実施の形態における筐体の防水構造１０００において、上部筐体１０および下部筐体２０は、基礎板１１、２１と、基礎板１１、２１の外周を囲うように基礎面１１、２１から離れる方向に延出された側板１２、２２とにより構成された箱状に形成さている。そして、第１の結合部３１は、上部筐体１０の側板１２の先端部に沿って形成されている。第２の結合部３２は、下部筐体２０の側板２２の先端部に沿って形成されている。これにより、第１の結合部３１と第２の結合部３２を簡単に、上部筐体１０と下部筐体２０に形成することができる。
【００３９】
本発明の第１の実施の形態における筐体の防水構造１０００において、吸水部材６０は、高分子吸収材により形成されている。これにより、吸水部材６０の吸水性をより高くすることができる。
【００４０】
＜第２の実施の形態＞
本発明の第２の実施の形態における筐体の防水構造１０００Ａについて、図に基づいて説明する。図４および図５は、筐体の防水構造１０００Ａを模式的に示す拡大断面図である。このうち、図４は、吸水部材６０が水を吸収していない状態を示す図である。図５は、吸水部材６０が水を吸収した状態を示す図である。なお、図４および図５では、図１〜図３で示した各構成要素と同等の構成要素には、図１〜図３に示した符号と同等の符号を付している。
【００４１】
図４および図５に示されるように、筐体の防水構造１０００Ａは、上部筐体１０と下部筐体２０と、第１の結合部３１と、第２の結合部３２と、隙間部３３と、収容溝４０と、パッキン５０Ａと、切り込み部５１と、吸水部材６０と、第１の係合部７１と、第２の係合部７２とを備えている。
【００４２】
ここで、第１の実施の形態における筐体の防水構造１０００と、第２の実施の形態における筐体の防水構造１０００Ａとを、対比する。筐体の防水構造１０００Ａでは、第１の係合部７１がパッキン５０Ａに形成され、第２の係合部７２が第２の結合部３２の収容溝４０内に設けられている。これに対して、筐体の防水構造１０００では、第１の係合部７１も第２の係合部７２も設けられていない。これらの点において、両者は互いに相違する。
【００４３】
ここで、図４および図５に示されるように、第１の係合部７１は、パッキン５０Ａを収容溝４０に保持するためにパッキン５０Ａに形成されている。より具体的には、第１の係合部７１は、パッキン５０Ａの延在方向に沿ってパッキン５０Ａの外周面上に突出するように形成されている。
【００４４】
また、図４および図５に示されるように、第２の係合部７２は、収容溝に形成され、第１の係合部７１と係合する。より具体的には、第２の係合部７２は、収容溝４０の延在方向に沿って収容溝４０内に溝状に形成されている。
【００４５】
次に、本発明の第２の実施の形態における筐体の防水構造１０００Ａの使用方法について、図４および図５を用いて説明する。
【００４６】
まず、筐体の防水構造１０００Ａが冠水していない状態について図３に基づいて説明する。この場合、上部筐体１０および下部筐体２０の外部の水が、隙間部３３を介して、パッキン５０および吸水部材６０が設けられた収容溝４０に浸入することはない。このため、図１に示されるように、吸水部材６０は、水を吸収することがないので、膨張しない。また、パッキン５０Ａの弾性力により、パッキン５０Ａの外周面の一部が、第１の結合部３１と、第２の結合部３２に設けられた収容溝４０の底面とを、押圧する。このため、塵や埃や微少な水滴などが、隙間部３３を介して、上部筐体１０および下部筐体２０の内部に侵入することの防止できる。
【００４７】
このとき、第１の係合部７１と第２の係合部７２は、互いに係合している。このため、パッキン５０Ａの姿勢を安定させることができる。すなわち、パッキン５０Ａが収容溝４０中で回転してしまったりすることを防止できる。これにより、切り込み部５１の向きを、上部筐体１０および下部筐体２０の外側に固定することができる。切り込み部５１が常時、上部筐体１０および下部筐体２０の外側に開口するように設けることができる。
【００４８】
次に、筐体の防水構造１０００Ａが冠水した場合について図５に基づいて説明する。この場合、上部筐体１０および下部筐体２０の外部の水が、隙間部３３を介して、パッキン５０Ａおよび吸水部材６０が設けられた収容溝４０に浸入する。収容溝４０に浸入した水は、パッキン５０Ａの切り込み部５１を介して、吸収部材６０にまで到達する。吸水部材６０は、水を吸水し、体積を膨張させる。吸水部材６０の膨張により、パッキン５０Ａが押し広げられる。これにより、パッキン５０Ａの外周面の一部が、第１の結合部３１と、第２の結合部３２に設けられた収容溝４０の底面とを、筐体の防水構造１０００が冠水していない状態と比較してより強い圧力で押圧する。このように、パッキン５０Ａの外周面と第１の結合部３１との接圧と、パッキン５０Ａの外周面と第２の結合部３１中の収容溝４０の底面の接圧とが高まる。そして、パッキン５０Ａは、前述の通り弾性を有するので、弾性接圧状態となる。この結果、上部筐体１０と下部筐体２０とが防水状態となる。すなわち、上部筐体１０と下部筐体２０の外部の水が、上部筐体１０と下部筐体２０の内部へ浸入することを安定して抑止できる。
【００４９】
このとき、第１の係合部７１と第２の係合部７２は、互いに係合している。このため、パッキン５０Ａの姿勢が安定する。すなわち、水が隙間部３３を介して収容溝４０に浸入した際に、水の勢いによってパッキン５０Ａが収容溝４０中で回転してしまったりするはない。これにより、切り込み部５１の向きを、上部筐体１０および下部筐体２０の外側に固定することができる。すなわち、水が隙間部３３を介して収容溝４０に浸入した際であっても、切り込み部５１が常時、上部筐体１０および下部筐体２０の外側に開口するように設けることができる。これにより、上部筐体１０および下部筐体２０の外部から浸入する水を安定して効率よく吸水部材６０へ導くことができる。この結果、吸水部材６０が安定して十分に膨張するので、パッキン５０Ａの外周面と第１の結合部３１との接圧と、パッキン５０Ａの外周面と第２の結合部３１中の収容溝４０の底面の接圧とが十分に高い状態で安定する。
【００５０】
以上の通り、本発明の第２の実施の形態における筐体の防水構造１０００Ａは、第１の係合部７１と、第２の係合部７２とを備えている。第１の係合部７１は、収容溝４０Ａにパッキン５０Ａを保持するためにパッキン５０Ａに形成されている。第２の係合部７２は、収容溝４０Ａに形成され、第１の係合部７１と係合する。このように、第１の係合部７１と第２の係合部７２は、収容溝４０Ａ内で、互いに係合する。このため、パッキン５０Ａを収容溝４０内に確実に保持することができる。すなわち、パッキン５０Ａが収容溝４０中で回転してしまったりすることを防止できる。特に、水が隙間部３３を介して収容溝４０に浸入した際に、水の勢いによってパッキン５０Ａが収容溝４０中で回転してしまったりするはない。すなわち、水が隙間部３３を介して収容溝４０に浸入した際であっても、切り込み部５１が常時、上部筐体１０および下部筐体２０の外側に開口するように設けることができる。これにより、上部筐体１０および下部筐体２０の外部から浸入する水を効率よく吸水部材６０へ導くことができる。
【００５１】
また、本発明の第２の実施の形態における筐体の防水構造１０００Ａにおいて、第１の係合部７１は、パッキン５０Ａの延在方向に沿ってパッキン５０Ａの外周面上に突出するように形成された突起部である。第２の係合部７２は、収容溝４０Ａに沿って収容溝４０Ａ内に溝状に形成された凹部である。これにより、第１の係合部７１と第２の係合部７２を簡単な構成で形成することができる。
【００５２】
＜第３の実施の形態＞
本発明の第３の実施の形態における筐体の防水構造１０００Ｂについて、図に基づいて説明する。図６および図７は、筐体の防水構造１０００Ｂを模式的に示す拡大断面図である。このうち、図６は、吸水部材６０が水を吸収していない状態を示す図である。図７は、吸水部材６０が水を吸収した状態を示す図である。なお、図６および図７では、図１〜図５で示した各構成要素と同等の構成要素には、図１〜図５に示した符号と同等の符号を付している。
【００５３】
図６および図７に示されるように、筐体の防水構造１０００Ｂは、上部筐体１０と下部筐体２０と、第１の結合部３１と、第２の結合部３２と、隙間部３３と、収容溝４０と、パッキン５０Ａと、切り込み部５１と、吸水部材６０と、当接部８０とを備えている。
【００５４】
ここで、第１の実施の形態における筐体の防水構造１０００と、第３の実施の形態における筐体の防水構造１０００Ｂとを、対比する。筐体の防水構造１０００Ｂでは、第１の結合部３１と第２の結合部３２とが当接部８０で互い当接している。これに対して、筐体の防水構造１０００では、当接部８０は設けられていない。これらの点において、両者は互いに相違する。
【００５５】
第１の実施の形態で説明したように、筐体の防水構造１０００では、隙間部３３を設けるために、上部筐体１０と下部筐体２０を嵌め合わせるために形成するネジボスの高さやツメの高さを調整していた。
【００５６】
これに対して、本実施の形態では、第１の結合部３１と第２の結合部３２の一部に互いに当接する部分（当接部８０）を設けている。これにより、隙間部３３の高さを簡単に調整することができる。
【００５７】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【００５８】
１０  上部筐体
２０  下部筐体
３１  第１の結合部
３２  第２の結合部
３３  隙間部
４０  収容溝
５０  パッキン
５０Ａ  パッキン
６０  吸水部材
７１  第１の係合部
７２  第２の係合部
８０  当接部
１０００  筐体の防水構造
１０００Ａ  筐体の防水構造
１０００Ｂ  筐体の防水構造
【図１】
2014007360.tif 000003
【図２】
2014007360.tif 000004
【図３】
2014007360.tif 000005
【図４】
2014007360.tif 000006
【図５】
2014007360.tif 000007
【図６】
2014007360.tif 000008
【図７】
2014007360.tif 000009
【図８】
2014007360.tif 000010
【図９】
2014007360.tif 000011